(57)【要約】【課題】シャッターボックスを利用することにより、吸気ファン等を用いることなく、シャッターの使用、不使用にかかわらず常に効率的に換気をすることができ、さらには壁躯体に換気のための穴を形成する必要のないシャッター。【解決手段】建物のサッシの上部に配置されたシャッターボックス１９の屋外側に換気口２１を形成し、前記シャッターボックス１９の背面側に外気を室内に導入し及び／又は屋内空気を大気に排出する換気装置２３を設け、前記外気導入口と換気装置２３との間で、かつシャッター巻き取り軸１８の上方に空気の流路Ｐを形成した。【選択図】図１
2011127331.tif 000002
【特許請求の範囲】
【請求項１】
建物のサッシ枠の上部に配置されたシャッターボックスの屋外側に換気口を形成し、前記シャッターボックスの背面側に外気を室内に導入し及び／又は屋内空気を大気に排出する換気装置を設け、前記換気口と換気装置との間で、かつシャッター巻き取り軸の上方に空気の流路を形成したことを特徴とする窓シャッター。
【請求項２】
前記換気装置は、屋内側から開閉可能な開閉窓を備えたことを特徴とする、請求項１に記載の窓シャッター。
【請求項３】
前記換気装置が、前記シャッターボックスと一体的に形成されていることを特徴とする、請求項１又は２に記載の窓シャッター。
【請求項４】
前記換気装置が、前記シャッターボックスの室内側の壁部に設けられていることを特徴とする、請求項１又は２に記載の窓シャッター。
【請求項５】
前記請求項１〜４のいずれかに記載の窓シャッターがサッシ枠に一体又は別体に取り付けられたことを特徴とするシャッター付きサッシ。
【発明の詳細な説明】
【技術分野】
【０００１】
本発明は、窓の屋外側に配置されるシャッターを利用して換気する窓シャッター及び窓シャッター付きサッシに関するものである。
【背景技術】
【０００２】
最近、建築材料の機能や施工技術が向上し、密閉性がよくなり、障子を閉めると、室内の空気は大気と遮断される。このため、冬は暖房装置により暖めた室内の暖気が外に逃げず、また夏は冷房装置により低温となった室内空気が外に逃げないので、暖冷房の効率が良くなった。ところが、その半面、厨房でガスを使ったり、暖房のために石油やガスのストーブを使用したときは、不完全燃焼による一酸化炭素が空気中に拡散することになり、これが少しずつ増えていくと、非常に危険な状態となる。そのほか、住宅の高気密化や化学物質を放散する建材や内装材の使用等により、新築・改築後の住宅や集合住宅に居住することで、居住者に様々な体調不良が起きることがある。これらの症状はシックハウス症候群とよばれ、厚生労働省から、ホルムアルデヒド、クロルピリホスなど１３種類の化学物質が濃度指針値のある物質として示されている。室内空気の汚染源には、これらの人体に影響を与える有機化合物のほかにも、ダニやかび、微生物等が考えられている。
【０００３】
そこで、現在は建築基準法によって住宅内の空気は２４時間換気するために換気装置を設置することが義務づけられている。例えば、内装の仕上げ等にホルムアルデヒド発散建築材料を使用しない場合であっても、家具等からもホルムアルデヒドが発散されるため、居室を有する全ての建築物に機械換気設備の設置が原則義務付けられている。また、天井裏等は、下地材をホルムアルデヒドの発散の少ない建築材料とするか、機械換気設備を天井裏等も換気できる構造とする必要があるなど、具体的かつ詳細に規定されている。
【０００４】
以上のことから、換気は安全や衛生の上から重要なことではあるが、通常は、特許文献１に示されるように、換気のために屋内外の空気を導入、排出するための換気口は、主に建物の壁躯体の比較的低い位置に設けられていた。このため、換気時には室内の一部を覗くことができるという問題があり、また、構造が複雑であり、室内の換気口のある場所には建具などを置くことができない、内壁の意匠性が損なわれる、壁躯体に形成されるので、換気口は必要最小限の大きさにせざるを得ない、などの問題があった。
【０００５】
これに関連するものとして、サッシと一体的に設けられたシャッターボックスを利用して外気を室内に導入する吸気構造が提案されている（特許文献２参照）。シャッターボックスは建物の壁躯体に形成されたサッシ取り付け用の開口部に隣接して設けられているので、初めからこの開口部を大きめに形成しておけばよく、わざわざ壁躯体に専用の開口部を形成する必要がない、シャッターサッシの下側に吸気口を開口しているので、屋外から室内を覗くことはできず、防犯上も好ましいほか、雨水対策も必要ない、等の長所を有している。
【先行技術文献】
【特許文献】
【０００６】
【特許文献１】特開２０００−２６８９２号公報
【特許文献２】特開２００９−８４９２４号公報
【発明の概要】
【発明が解決しようとする課題】
【０００７】
しかしながら、特許文献２の技術は、基本的に換気を目的としたものではなく、シャッタースラットと障子との間の空間部や吸気のためのファンを必要とする構成である。したがって、上記技術を換気に適用しようとしても、シャッターが巻き取られたときは、シャッターボックスの底部に設けられたシャッタースラットのガイド用開口部がシャッタースラットの下端の部材により閉じられてしまうので、空気の流通が遮断され、換気することができない。また、シャッター使用時にはシャッターボックス内の空間は大きくなるが、吸気用の開口部はサッシの下枠に設けられているから、これを換気用に利用しようとすれば、屋内の暖気を大気に放出するときは屋内暖気をファンなどの強制的手段によりシャッタースラットと障子との間の空間部の上部から下部に流れるようにしなければならず、あまり効率的とはいえない。
【０００８】
本発明は上記問題を解消し、シャッターボックスを利用することにより、吸気ファン等を用いることなく、シャッターの使用、不使用にかかわらず常に効率的に換気をすることができ、さらには壁部に換気のための穴を形成する必要のない窓シャッター及び窓シャッター付きサッシを提供することをその課題とする。
【課題を解決するための手段】
【０００９】
前記課題を解決するため、請求項１に係る発明は、建物のサッシ枠の上部に配置されたシャッターボックスの屋外側に換気口を形成し、前記シャッターボックスの背面側に外気を室内に導入し及び／又は屋内空気を大気に排出する換気装置を設け、前記換気口と換気装置との間で、かつシャッター巻取り軸の上方に空気の流路を形成したことを特徴とする。
【００１０】
請求項２に係る発明は、請求項１において、前記換気装置は、屋内側から開閉操作可能としたことを特徴とする。
【００１１】
請求項３に係る発明は、請求項１又は２において、前記換気装置が、前記シャッターボックスと一体的に形成されていることを特徴とする。
【００１２】
請求項４に係る発明は、請求項１又は２において、前記換気装置が、前記シャッターボックスの室内側の壁部に設けられていることを特徴とする。
【００１３】
請求項５に係る発明は、前記請求項１〜４のいずれかに記載の窓シャッターがサッシに一体又は別体に取り付けられたことを特徴とする。
【発明の効果】
【００１４】
請求項１に係る発明によれば、換気口をシャッターボックスの屋外側に形成したので、シャッターボックスを利用することにより、吸気ファン等を用いることなく、シャッターの使用、不使用にかかわらず常に効率的に換気をすることができ、シャッターを閉じた状態であっても換気を行うことができる。また、シャッターが巻き上げられた状態であっても、換気できる。このように、シャッターの開閉に関係なく、窓に施錠したまま室内の換気を行うことができ、防犯性に優れる。
【００１５】
また、屋内側に設けた換気装置は、サッシの上方、つまり屋内の比較的高い位置に設けられるから、家具等を設置する場合の邪魔にならず、自由なレイアウトが可能になり、換気のための開口面積も大きくとることができる。
【００１６】
さらに、換気口も換気装置も従来の換気框に比べて開口面積を大きくとることができるので、単位時間当たりの換気流量が大きく、換気効率を向上させることができる。
【００１７】
請求項２に係る発明によれば、換気装置は屋内側から開閉操作可能としたので、いつでも必要なときに屋内側から換気操作することができ、また換気するかどうかの切り替えも行うことができる。
【００１８】
請求項３に係る発明によれば、換気装置が、シャッターボックスと一体的に形成されているから、意匠を大きく変えずに済み、壁部に開口部を形成し、その室内側に換気装置２３を取り付けること以外に特別の工事を必要としない。
【００１９】
請求項４に係る発明によれば、換気装置が、前記シャッターボックスの室内側の壁部に設けられているから、躯体には穴を設けるが、室外側には従来のような換気口を設ける必要がなく意匠性に優れる。また、室内壁の室内側に設ける換気口は従来と同じものを使用することもできる。
【００２０】
請求項５に係る発明によれば、窓シャッターがサッシに一体又は別体に取り付けられるので、いろいろな構成のサッシ構造に対応することができる。
【図面の簡単な説明】
【００２１】
【図１】本発明に係る窓シャッター付きサッシの内観正面図
【図２】図１のＸ−Ｘ線上の拡大断面図
【図３】図１のＹ−Ｙ線上の拡大断面図
【図４】換気装置納まりの他の実施形態の内観正面図
【図５】換気装置納まりのさらに他の実施形態の内観正面図
【図６】他の実施形態のシャッターサッシの縦断面図
【発明を実施するための形態】
【００２２】
［実施形態１］
図１は建物に設けられた窓シャッター付きサッシの内観正面図、図２は図１のＸ−Ｘ線上の断面図であり、図３は図１のＹ−Ｙ線上の断面図である。これらの図において符号１は壁部を示す。２は内装材、３は外装材である。壁部１には開口部４が形成され、開口部４にはサッシ上枠５とサッシ下枠６と左右の縦枠７とからなるサッシ枠８が取り付けられている。サッシ枠８は半外付け納まりで、サッシ枠８の内側には障子１０と網戸１１が摺動自在に配置されている。
【００２３】
次に、上記サッシ枠８の屋外側にはサッシ枠８と一体的に窓シャッター１２が取り付けられている。すなわち、両側の縦枠７の間にサッシ上枠５とサッシ下枠６とを取り付けるとともに、縦枠７の上部を延長形成し、この延長部７ａ間にシャッター上枠１３とサッシ上枠５を一体的に取り付け、さらに縦枠７の屋外側に案内レール２０とシャッター下枠２７を設けることにより、全体が窓シャッター付きサッシとして構成されている。そして、サッシ枠８の上部に形成されたシャッターボックス１９はシャッター上枠１３とサッシ上枠５と縦枠７ａと前板１４と背面板１５とから構成されている。前板１４はシャッター上枠１３の前端から延長して下方に垂下形成されている。そして、窓シャッター付きサッシは、その周縁に形成された取付フィン９を開口部４の周縁材に止着することにより固定されている。
【００２４】
窓シャッター１２のシャッターボックス１９の内部にはシャッター１７の巻き取り軸１８が設けられ、巻き取り軸１８にはシャッター１７が巻き取られて収納されている。また、縦枠７にはシャッター１７の案内レール２０が一体的に取り付けられ、シャッター１７を構成する金属製スラット１７ａが摺動可能となっている
【００２５】
なお、壁部１に形成された開口部４の上端は、シャッターボックス１９の背面が屋内側に露出する程度に形成されている。
【００２６】
次に、シャッターボックス１９の屋外側の前板１４はシャッター１７の案内レール２０よりも屋外側に突出しており、シャッターボックス１９の前板１４の下端部には、シャッター１７の案内レール２０の上端部に向けて屈曲する前部底板１６が形成されている。この前部底板１６には換気口２１が形成されている。この換気口２１は前部底板１６の全長に沿って複数個設けてもよく、前部底板１６の一部に形成してもよい。換気口２１にはフィルターを取り付けてもよい。
【００２７】
なお、本実施形態では前部底板１４に換気口を形成しているが、前板の屋外側に面する部位に換気口を形成してもよい。この場合、換気口には雨水の浸入を塞ぐ覆いを設けるのが好ましい。
【００２８】
また、シャッターボックス１９の背面側には背面板１５が配置され、背面板１５には開口部２２が形成されている。この開口部２２は室内側に開口し、開口部２２には換気装置２３が一体的に設けられている。換気装置２３は、方形な窓枠形の装置本体２３ａに開閉蓋２４を備えた開閉窓を設けている。開閉蓋２４の取っ手２４ａを持って屋内側に引き出し操作することにより装置本体を開放し、開閉蓋２４を装置本体２３ａに押し込むことで換気装置２３を閉じることができる。開閉は室内外方向に作動する方式に限定されない。例えば、左右にスライドする開閉窓でもよく、また換気框のように作動板が開閉する形式のものでもよい。
【００２９】
そして、換気口２１とシャッター巻取り軸１８の上方と換気装置２３との間には空気の流路Ｐが形成されている。換気口２１も換気装置２３も従来の換気框に比べて開口面積が大きいので、単位時間当たりの換気流量は大きいから、換気効率が向上する。また、換気框は内外障子のいずれかにしか設けられないのに対し、換気口２１、換気装置２３はいずれも開口部４の全幅に沿って長尺状に形成することができる。
【００３０】
なお、シャッター下枠２７には雨水を排水するための排水孔（図示せず）が形成されている。また、シャッター上枠１３は壁部１から水平に突出し、シャッター１７の手前まで延びている。これにより、サッシ上枠５の先端とシャッターボックス１９の前板１４との間にはシャッター１７が通る程度の隙間が形成されている。
【００３１】
したがって、上記構成のシャッター１７によれば、サッシ枠８の障子１０を閉じ、シャッター１７を下ろして閉じ状態にして換気装置２３を開放すると、屋内と屋外とが空気流路Ｐを介して連通するから、屋内側と屋外側の差圧により、高圧側から低圧側に空気が流れる。屋内側が屋外側に対して負圧になれば外気が屋内に流れ込み、逆の場合は屋内空気が大気に流れ出す。このようにして換気が促される。
【００３２】
シャッター１７を巻き上げて開放状態にした場合でも、換気口２１とシャッター巻き取り軸１８の上方と換気装置２３との間には換気のための空気の流路Ｐが形成されているから、障子１０が閉じられていても換気が滞ることはない。
【００３３】
上記構成によれば、シャッターボックス１９を利用することにより、吸気ファン等を用いることなく、シャッター１７の使用、不使用にかかわらず常に効率的に換気をすることができ、さらには壁部１に換気のための穴を形成する必要のないシャッター及びシャッター付きサッシを提供することができる。
【００３４】
また、シャッターボックスとサッシ枠とは一体に形成されているから、意匠を大きく変えずに済み、壁部１に開口部を形成し、その室内側に換気装置２３を取り付けること以外に特別の工事を必要としない。
【００３５】
さらに、屋内側に設けた換気装置は、サッシの上方、つまり屋内の比較的高い位置に設けられるから、家具等を設置する場合の邪魔にならず、自由なレイアウトが可能になり、換気のための開口面積も大きくとることができる。
【００３６】
なお、窓シャッター１２とサッシ枠８とは一体構成のものに限定されない。サッシ枠とは別に窓シャッターをサッシ枠と一体的に組み付ける構成であってもよい。また、シャッターボックスの裏側の換気装置の納まりとしては、図１〜図３に示したものに限定されない。例えば、図４に示すように、サッシ枠８と一体的に取り付けられた窓シャッター１２の背面板１５の一部に換気口２８を設ける構造でもよい。また、図５に示されるように、背面板１５の左右２つの換気口２９、２９に換気扇３０を設ける構成であってもよい。後述の実施形態２においても同様である。なお、図５の形態において、左右２つの換気口２９、２９のうち、一方の換気口は吸気、他方の換気口は排気とすることもできる。
［実施形態２］
【００３７】
次に、図６は、換気のための空気の流路Ｐの別の形態の窓シャッター付きサッシを示したもので、同図において、窓シャッター１２のシャッターボックス１９と壁部１の構造は図1のものと異なっているが、他は同じである。したがって、図１と同じ符号は同じ部材を示すものとする。なお、この窓シャッター付きサッシの横断面図は図２とほとんど同じなので省略する。
【００３８】
すなわち、壁部１には開口部４が形成され、開口部４にはサッシ上枠５とサッシ下枠６と左右の縦枠７とからなる半外付け納まりのサッシ枠８が取り付けられている。
【００３９】
サッシ枠８の屋外側上部にはサッシ枠８と一体的に窓シャッター１２が取り付けられ、全体が窓シャッター付きサッシとして構成されている。
【００４０】
なお、壁部１の開口部４はサッシ枠８の上端までとなっている。
【００４１】
窓シャッター１２のシャッターボックス１９の内部にはシャッター１７の巻き取り軸１８が設けられ、巻き取り軸１８にはシャッター１７が巻き取られて収納されている。また、縦枠７ａにはシャッター１７の案内レール２０が形成され、シャッター１７を構成する金属製スラット１７ａが摺動可能となっている。
【００４２】
ところで、シャッターボックス１９の屋外側の前板１４のシャッター１７の案内レール２０に対して突出する出量は小さく、出っ張り感がない分だけ意匠的には好ましい外観を呈している。その半面、前板１４の下部とシャッター１７との間に十分な大きさの換気口を形成するのは困難である。このため、換気口２１は前板１４の上部に形成されている。換気口２１は図３の楕円枠に示されたように、多数のスリット２５を平行に並べた構造で、前板１４の強度があまり損なわれないように形成されている。
【００４３】
また、シャッターボックス１９の背面板１５は壁部１の屋外側の面に当接している。
【００４４】
次に、背面板１５の上部と壁部１には開口部２６が連続的に形成されている。そして、開口部２６の屋内側には開閉蓋２４の操作により開閉可能な換気装置２３が取り付けられている。これにより、シャッターボックス１９の前板１４とシャッター巻き取り軸１８の上方と換気装置２３との間には空気の流路Ｐが形成されている。
【００４５】
上記構成のシャッター１７によれば、開閉蓋２４を引き出して装置本体を開放すると、屋内と屋外とが空気流路Ｐを介して連通するから、屋内側と屋外側の差圧により、高圧側から低圧側に空気が流れる。したがって、屋内側が屋外側に対して負圧になれば外気が屋内に流れ込み、逆の場合は屋内空気が大気に流れ出す。このようにして換気が促される。
【００４６】
なお、サッシ枠８の障子１０を閉じ、シャッター１７を下ろして閉じ状態にしても、シャッター１７を巻き上げて開放状態にしても、換気口２１とシャッター巻き取り軸１８の上方と換気装置２３との間には換気のための空気の流路Ｐが形成されているから、換気が滞ることはない。
【００４７】
なお、この形態の場合も、窓シャッター１２とサッシ枠８とは一体構成のものに限定されない。
【符号の説明】
【００４８】
Ｐ    空気流路
８    サッシ枠
１７  シャッター
１８  巻き取り軸
１９  シャッターボックス
２１  換気口
２２、２６  開口部
２３  換気装置
２４  開閉蓋
【図１】
2011127331.tif 000003
【図２】
2011127331.tif 000004
【図３】
2011127331.tif 000005
【図４】
2011127331.tif 000006
【図５】
2011127331.tif 000007
【図６】
2011127331.tif 000008